(57)【要約】【課題】洗剤投入口に投入した洗剤を、安価な構成で分割して洗濯槽に投入することができる、洗濯機または洗濯乾燥機を提供することを目的とする。【解決手段】水を溜める外槽と前記外槽内に設置される洗濯槽と、前記洗濯槽の内側壁面に設置される洗剤投入口と、前記洗濯槽を正回転及び逆回転させるモータと、を有し、前記洗剤投入口は、左右方向の一方側に設けられた洗剤分割投入用ポケットと、前記洗剤分割投入用ポケットが設けられた側の側面に形成された第１給水口と、前記洗剤分割投入用ポケットが設けられていない側の上面に形成された第２給水口と、を備え、前記第１給水口の上方の壁面は、前記第１給水口の下方の壁面よりも、外側に突出した。【選択図】図３
2020014744.tif 000002
【特許請求の範囲】
【請求項１】
水を溜める外槽と前記外槽内に設置される洗濯槽と、前記洗濯槽の内側壁面に設置される洗剤投入口と、前記洗濯槽を正回転及び逆回転させるモータと、を有し、
前記洗剤投入口は、左右方向の一方側に設けられた洗剤分割投入用ポケットと、前記洗剤分割投入用ポケットが設けられた側の側面に形成された第１給水口と、前記洗剤分割投入用ポケットが設けられていない側の上面に形成された第２給水口と、を備え、
前記第１給水口の上方の壁面は、前記第１給水口の下方の壁面よりも、外側に突出したことを特徴とする洗濯機または洗濯乾燥機。
【請求項２】
請求項１に記載の洗濯機または洗濯乾燥機において、
前記洗剤分割投入用ポケットの前記洗濯槽外周側壁面は、前記洗剤分割投入用ポケット底面側から上方に位置するほど前記洗濯槽外周外側に広がるように傾斜していることを特徴とする洗濯機または洗濯乾燥機。
【請求項３】
請求項１または請求項２に記載の洗濯機または洗濯乾燥機において、
予備洗い前の初期給水時、前記洗濯槽は前記洗剤投入口の前記第１給水口が無い側が先頭となる向きに回転し、
予備洗い後の給水時、前記洗濯槽は前記洗剤投入口の前記第１給水口がある側が先頭となる向きに回転することを特徴とする洗濯機又は洗濯乾燥機。
【発明の詳細な説明】
【技術分野】
【０００１】
洗濯機および洗濯乾燥機に関する。
【背景技術】
【０００２】
従来，洗濯機および洗濯乾燥機は，外槽内に回転自在に設置した洗濯槽と，洗濯槽の底部に回転自在に設置した洗濯翼と，洗濯槽および洗濯翼を回転駆動する電導駆動装置を備え，電導駆動装置によって洗濯槽および洗濯翼をクラッチによる切り替え手段で選択的に回転駆動することにより，洗濯槽内の洗濯物を撹拌して洗い工程とすすぎ工程を行い，その後，洗濯槽を高速回転させて洗濯物を遠心脱水する構成である。
【０００３】
洗濯槽内に洗剤投入口を有する洗濯機においては、洗剤投入口が洗濯槽内側壁面でかつ給水口下部に位置しており、給水時に洗濯槽を回転し、洗濯槽内と洗剤投入口に給水をすることで、洗剤投入口より投入した洗剤を溶かし、洗濯を開始する。
【０００４】
また、洗浄力を高める手段として予備洗い後に排水を行いその後追加で洗剤および水を注水することが一般に知られている。（例えば、特許文献１参照）
【先行技術文献】
【特許文献】
【０００５】
【特許文献１】特開２０１２−７５５０５号公報
【発明の概要】
【発明が解決しようとする課題】
【０００６】
しかしながら，給水時に洗剤投入口より給水することで投入した洗剤を全て溶かしてしまい、投入した洗剤を分割して洗濯に使用することができないという課題があった。
【０００７】
本発明は、上記課題を解決するもので、洗剤投入口に投入した洗剤を安価な構成にて分割して洗濯槽に投入することができる、洗濯機または洗濯乾燥機を提供することを目的とする。
【課題を解決するための手段】
【０００８】
水を溜める外槽と前記外槽内に設置される洗濯槽と、前記洗濯槽の内側壁面に設置される洗剤投入口と、前記洗濯槽を正回転及び逆回転させるモータと、を有し、前記洗剤投入口は、左右方向の一方側に設けられた洗剤分割投入用ポケットと、前記洗剤分割投入用ポケットが設けられた側の側面に形成された第１給水口と、前記洗剤分割投入用ポケットが設けられていない側の上面に形成された第２給水口と、を備え、前記第１給水口の上方の壁面は、前記第１給水口の下方の壁面よりも、外側に突出した。
【発明の効果】
【０００９】
本発明によれば，洗剤投入口に洗剤を投入する際に洗剤分割投入用ポケットに洗剤を投入することで、洗剤分割用ポケットからあふれた洗剤は洗濯槽に流れ込む。洗濯槽への給水時、洗濯槽は洗剤投入口の第１給水口が無い側が先頭となる向きに回転することで、洗剤投入口の上面にある第２給水口から給水される。給水後、予備洗いをし、一定量排水した後に、洗濯槽を洗剤投入口の第１給水口がある側が先頭となる向きに回転することで、洗剤投入口の側面にある第１給水口を介し、洗剤分割用ポケットに給水し洗剤分割用ポケット内の洗剤を槽内に流し込むことができる。これにより、予備洗い後に汚水を排水し、再度給水する際に新たに洗剤を投入することができ、本洗いの際に洗剤濃度が薄まることを抑制することができる。
【図面の簡単な説明】
【００１０】
【図１】実施例１の実施形態を示す洗濯機の縦断面図である。
【図２】従来の洗剤投入口の正面図と縦断面図である。
【図３】本発明における洗剤投入口の正面図と縦断面図である。
【図４】本発明における洗剤投入口開放状態の縦断面図である。
【発明を実施するための形態】
【００１１】
図１は本発明の一実施形態を示す洗濯機の縦断面図である。図１に示す洗濯機の縦断面図において，洗濯機は洗濯機外枠１と、洗濯機外枠１を下から支持する外枠ベース２、洗濯機外枠１の上に設けられたトップカバー３、トップカバー３に開閉自在に備わる蓋４が設けられている。洗濯、すすぎ、脱水等の動作中、蓋４はロックされ開閉できない状態となる。外槽５は洗濯機外枠１の上側内部に設けたコーナ支持部８より垂下する吊棒７に防振バネ２１を介して防振支持される。  洗濯槽９は外槽５内に回転自在に置かれる。モータ１９としてのＤＣブラシレスモータは外槽５の底側下面に設けられる。モータ１９はフランジ２０を用いて外槽５に取り付けられる。モータ１９の回転主軸３３は洗濯槽９の底面フランジ３９に固定され、洗濯槽９を支持する。
【００１２】
回転主軸３３の中心には洗濯槽９内に回転自在に置かれる洗濯翼１１を正逆回転させる内側回転軸（図示せず）が備わっている。モータ１９は、クラッチによる切り替え手段（図示せず）で洗濯槽９と洗濯翼１１の回転動作を切り替えられる。洗濯物３８の洗いは，給水後予備洗いを行い、一定量の排水を実施した後、追加給水を行い本洗いが行われる。モータ１９は正逆回転し，洗濯翼１１も正逆回転し洗濯物３８の撹拌が行われる。洗濯物３８の脱水では，モータ１９は高速で回転し，洗濯槽９も高速回転し，洗濯槽９の胴体に設けた脱水穴１２から遠心脱水が行われる。
【００１３】
排水電磁弁２２は外槽５の底部に設けた排水口に連通する排水ホース２３に備わる。洗濯やすすぎで使った水は排水電磁弁２２の開放で排水ホース２３を通じて機外へ排水される。脱水が行われる脱水運転は排水電磁弁２２を開放したままで行う。
【００１４】
コントロール基板２７はトップカバー３の後側に備えられる。電源スイッチ４０はトップカバー３の前側に設けられる。電源スイッチ４０を投入し，表示基板３６に設けられる各種入力スイッチを操作して洗濯機の動作を設定する。
【００１５】
外槽５内に貯留する洗濯水の水位は水圧の変化により水位センサー４１により検知され，その水位情報はコントロール基板２７に提供され，給水と排水を制御する。
【００１６】
貯留する洗濯水はトップカバー３後方に設けた給水口２４より給水電磁弁６の開放にて給水ホース２５を通じて洗濯槽９に注水される。
【００１７】
給水ホース２５の注ぎ口は洗濯槽９の内側に設置された洗剤投入口１６の回転軌道線上に配置され注水される水は洗剤投入口１６を介して洗濯槽９に貯留される。
【００１８】
排水電磁弁２２は外槽５の底部に設けた排水口２２ａに連通する排水ホース２３に備わる。洗濯やすすぎで使った水は排水電磁弁２２の開放で排水ホース２３を通じて機外へ排水される。脱水が行われる脱水運転は排水電磁弁２２を開放したままで行う。排水電磁弁２２の開閉，モータ１９の運転，停止，速度調整はコントロール基板２７により制御される。
【００１９】
ここで従来の洗剤投入口１６の形状について図２を用いて説明する。
【００２０】
洗剤投入口１６は下部に設けた回転動作軸５０を軸に洗濯槽９の中心側に上部を開閉可能な構造とし、洗剤の投入をしやすくしている。注水時洗剤投入口１６の上部は閉めた状態となるが、洗剤投入口１６の上面に設けた第２給水口５４より給水される。
【００２１】
一方、本実施形態について図３を用いて説明する。
【００２２】
本実施形態については、洗剤投入口１６内部中央よりどちらか片側一方に投入された洗剤を一定量貯留する洗剤分割投入用ポケット５２があり、洗剤分割投入用ポケット５２設置側の側面には、第１給水口５１を備え、第１給水口５１の入口上面５３は、第１給水口５１の入口下面５５よりも外側に突出している。
【００２３】
洗剤分割投入ポケット５２設置側と反対側の洗剤投入口上面にも第２給水口５４を備えている。
また、従来と同様に洗剤投入口１６は下部に設けた回転動作軸５０により上部を開閉可能な構造としている。
【００２４】
このような構造とし、洗剤投入口上部を開放し洗剤を洗剤分割投入用ポケットに所定量を注ぐことで、洗剤分割投入用ポケット５２からあふれた洗剤は洗濯槽９に流れ込む。更に予備洗い前の給水時、洗濯槽９は第１給水口５１と反対側が先頭となる向きに回転することで、注水される水は洗剤投入口の第２給水口５４より洗濯槽９に注水され予備洗いが行われる。この時、第１給水口５１については入口上面５３が入口下面５５よりも突出した構造となっている為、洗剤分割投入用ポケット５２には給水されない。
【００２５】
予備洗い後、汚水を排水するために一定量の水を排水ホース２３より排水し、本洗い前に新たに注水を行う。この時洗濯槽９を第１給水口５１が先頭となる回転方向に回転することで、第１給水口５１より洗剤分割用ポケット５２に給水され洗剤分割用ポケット５２に貯留された洗剤は洗濯槽９へと流れ込み、本洗いでの洗剤濃度を高めることができる。
【００２６】
洗剤分割投入用ポケット５２の洗濯槽９外周側壁面は下方から上方にかけて外周側に広がる方向に傾斜させることで、洗剤分割投入用ポケット５２に注水後、残留した水は洗い、すすぎ、脱水時の槽回転による遠心力により洗濯槽９に流れ出る。
【符号の説明】
【００２７】
１…本体外枠、３…トップカバー、９…洗濯槽、１６…洗剤投入口、２７…コントロール基板、４０…電源ＳＷ、５０…回転動作軸、５１…第１給水口、５２…洗剤分割投入用ポケット、５３…給水口上面、５４…第２給水口、５５…給水口下面
【図１】
2020014744.tif 000003
【図２】
2020014744.tif 000004
【図３】
2020014744.tif 000005
【図４】
2020014744.tif 000006